(57)【要約】【課題】簡易に設置できるとともに、道路上に布設されたホース等の上方を人や車両がホース等を踏みつけることなく、且つ人や車両が滑ることなく安全に通行できる架設橋を提供する。【解決手段】本体部２とスロープ部１を組み合せ、本体部２の側面に設けた鉤状の係合部２ａとスロープ部１の側面に設けた鉤状の係合部１ａを互いに係合し連結できるようにした。また、本体部２の上面２ｃと下面２ｄとの間およびスロープ部１の上面１ｃと下面１ｄとの間にホース等を通すための空間２ｂと１ｂを設けた。さらに、本体部２の上面２ｃと下面２ｄおよびスロープ部１の上面１ｃと下面１ｄを滑り止め構造とした。【選択図】　図２
0003099045.tif 000002
【実用新案登録請求の範囲】
【請求項１】
上面が平坦を成し側面に係合部を設け下面が接地する構造の本体部と、上面が接地面から前記本体部上面への傾斜を成し側面に前記本体部側面に設けた係合部と互いに係合する係合部を設け下面が接地する構造のスロープ部とから成り、前記本体部と前記スロープ部を組み合せ、前記本体部の側面に設けた係合部と前記スロープ部の側面に設けた係合部を互いに係合することにより連結できるようにしたことを特徴とする架設橋。
【請求項２】
前記本体部の上面と下面との間および前記スロープ部の上面と下面との間にホース等を通すための空間を設けた請求項１に記載の架設橋。
【請求項３】
前記本体部の上面と下面および前記スロープ部の上面と下面を滑り止め構造とした請求項１および請求項２に記載の架設橋。
【考案の詳細な説明】
【０００１】
【考案の属する技術分野】
本考案は、例えば大雨による浸水災害箇所の水をポンプにより排水するために道路上に布設されたホース等の上方を、人や車両がホース等を踏みつけることなく通行できるようにするために設置する架設橋に関し、本体部とスロープ部を組み合せ、本体部の側面に設けた係合部とスロープ部の側面に設けた係合部を互いに係合し連結することにより、任意の幅と長さの架設橋を簡易に設置できるようにしたものである。
また、本考案は、本体部の上面と下面との間およびスロープ部の上面と下面との間に設けたホース等を通すための空間にホース等を通すことにより、道路上に布設されたホース等の上方を、人や車両がホース等を踏みつけることなく通行できるようにしたものである。
さらに、本考案は、本体部の上面と下面およびスロープ部の上面と下面を滑り止め構造としたことにより、本体部とスロープ部が通行人および通行車両の荷重により移動することなく、且つ人や車両が滑ることなく安全に通行できるようにしたものである。
【０００２】
【従来の技術】
従来、例えば大雨による浸水災害箇所の水をポンプにより排水するために道路上に布設されたホース等の上方を、人や車両がホース等を踏みつけることなく通行できるようにする場合は、ホース等の両側に土嚢を所定の幅と高さに平に積み上げ、地面と土嚢との間および土嚢と土嚢との間に渡した敷鉄板の上を人や車両が通行していたため、土嚢を作り且つ崩れないように平に積み上げるのに多くの時間と労力を要するとともに、大きくて重い敷鉄板を渡すのにクレーン車を使用しなければならず、浸水災害時に迅速な対応ができないという問題点を有していた。
また、積み上げた土嚢が敷鉄板と通行人および通行車両の荷重によりつぶれたり崩れたりすることにより、敷鉄板が傾いたりずれたりし、さらには敷鉄板の表面が平滑であるために、表面が雨や泥で濡れた場合は人や車両が滑り通行に危険を伴なっていたという問題点も有していた。
【０００３】
【考案が解決しようとする課題】
本考案は、簡易に設置できるとともに、道路上に布設されたホース等の上方を、人や車両がホース等を踏みつけることなく、且つ人や車両が滑ることなく安全に通行できる架設橋を提供することを目的とする。
【０００４】
【課題を解決するための手段】
本体部とスロープ部を組み合せ、本体部の側面に設けた係合部とスロープ部の側面に設けた係合部を互いに係合し連結することにより、任意の幅と長さの架設橋を簡易に設置できるようにした。
また、本体部の上面と下面との間およびスロープ部の上面と下面との間に設けたホース等を通すための空間にホース等を通すことにより、道路上に布設されたホース等の上方を、人や車両がホース等を踏みつけることなく通行できるようにした。
さらに、本体部の上面と下面およびスロープ部の上面と下面を滑り止め構造としたことにより、本体部とスロープ部が通行人および通行車両の荷重により移動することなく、且つ人や車両が滑ることなく安全に通行できるようにした。
【０００５】
【実施例】
本考案の架設橋の一実施例を図面により説明する。図１はスロープ部と本体部の平面図と側面図、図２はスロープ部４台と本体部２台を組み合せ本体部の側面に設けた鉤状の係合部とスロープ部の側面に設けた鉤状の係合部をに互いに係合し連結のうえホース等を通した状態の平面図と側面図である。図において、１はスロープ部、１ａは鉤状の係合部、１ｂはホース等を通すための空間、１ｃは上面、１ｄは下面、２は本体部、２ａは鉤状の係合部、２ｂはホース等を通すための空間、２ｃは上面、２ｄは下面、３はホース等である。
本考案の架設橋の一実施例では、上面２ｃが平坦を成し側面に鉤状の係合部２ａを設け下面２ｄが接地する構造の本体部２と、上面１ｃが接地面から本体部２の上面２ｃへの傾斜を成し側面に本体部２の側面に設けた鉤状の係合部２ａと互いに係合する鉤状の係合部１ａを設け下面１ｄが接地する構造のスロープ部１を組み合せ、本体部２の側面に設けた鉤状の係合部２ａとスロープ部１の側面に設けた鉤状の係合部１ａを互いに係合し連結することにより、任意の幅と長さの架設橋を簡易に設置できるようになっている。
また、本体部２の上面２ｃと下面２ｄとの間に設けたホース等を通すための空間２ｂおよびスロープ部１の上面１ｃと下面１ｄとの間に設けたホース等を通すための空間１ｂにホース等３を通すことにより、道路上に布設されたホース等３の上方を、人や車両がホース等３を踏みつけることなく通行できるようになっている。
さらに、本体部２の上面２ｃと下面２ｄおよびスロープ部１の上面１ｃと下面１ｄを滑り止め構造としたことにより、本体部２とスロープ部１が通行人および通行車両の荷重により移動することなく、且つ人や車両が滑ることなく安全に通行できるようになっている。
尚、本考案の架設橋の一実施例では、本体部の側面に設けた係合部とスロープ部の側面に設けた係合部を鉤状の形状としたが他の形状でもよいことはいうまでもない。
【０００６】
【考案の効果】
本考案の架設橋は上記のように構成されているので、任意の幅と長さの架設橋を簡易に設置できるとともに、道路上に布設されたホース等の上方を人や車両がホース等を踏みつけることなく通行でき、また本体部とスロープ部が通行人および通行車両の荷重により移動することなく、且つ人や車両が滑ることなく安全に通行できるという効果がある。
【図面の簡単な説明】
【図１】本考案の一実施例のスロープ部と本体部を示す平面図と側面図である。
【図２】本考案の一実施例のスロープ部４台と本体部２台を組み合せ、本体部の側面に設けた鉤状の係合部とスロープ部の側面に設けた鉤状の係合部をに互いに係合し連結のうえ、ホース等を通した状態を示す平面図と側面図である。
【符号の説明】
１　　スロープ部
１ａ　鉤状の係合部
１ｂ　ホース等を通すための空間
１ｃ　上面
１ｄ　下面
２　　本体部
２ａ　鉤状の係合部
２ｂ　ホース等を通すための空間
２ｃ　上面
２ｄ　下面
３　　ホース等
【図１】
0003099045.tif 000003
【図２】
0003099045.tif 000004